【手続補正書】
【提出日】平成19年1月29日(2007.1.29)
【手続補正１】
【補正対象書類名】明細書
【補正対象項目名】特許請求の範囲
【補正方法】変更
【補正の内容】
【特許請求の範囲】
【請求項１】  物体側より順に、正の屈折力の第１レンズ群、負の屈折力の第２レンズ群、正の屈折力の第３レンズ群、正の屈折力の第４レンズ群から構成され、ズーミングに際し、該第２レンズ群と第４レンズ群とが移動するズームレンズであって、該第３レンズ群は、物体側から順に、正の屈折力の第３ａレンズ群、開口絞り、１枚以上の負レンズと１枚以上の正レンズを有する第３ｂレンズ群より成り、
望遠端における全系の焦点距離をｆｔ、該第２レンズ群の焦点距離をｆ２とするとき、
０．０５ ＜｜ｆ２／ｆｔ｜＜ ０．０８１
なる条件を満足することを特徴とするズームレンズ。
【請求項２】  物体側より順に、正の屈折力の第１レンズ群、負の屈折力の第２レンズ群、正の屈折力の第３レンズ群、正の屈折力の第４レンズ群から構成され、ズーミングに際し、該第２レンズ群と該第４レンズ群とが移動するズームレンズであって、該第３レンズ群は、物体側から順に、正の屈折力の第３ａレンズ群、開口絞り、１枚以上の負レンズと１枚以上の正レンズを有する第３ｂレンズ群より成り、
広角端と望遠端における全系の焦点距離を各々ｆｗ、ｆｔ、該第ｉレンズ群の焦点距離をｆｉ、望遠端において無限遠物体に合焦しているときの該第４レンズ群の結像倍率をβ４Ｔ、
【数１】
2004333769.tif 000001
とするとき、
０．３４ ＜ ｆ１／ｆｔ＜ ０．５７
０．２２ ＜｜ｆ２／ｆＡ｜＜ ０．３４
０．７４ ＜ ｆ３／ｆ４ ＜ １．２
０．４８ ＜｜β４Ｔ｜＜ ０．７１
なる条件のうちの１つ以上を満足することを特徴とするズームレンズ。
【請求項３】  物体側より順に、正の屈折力の第１レンズ群、負の屈折力の第２レンズ群、正の屈折力の第３レンズ群、正の屈折力の第４レンズ群から構成され、ズーミングに際し、該第２レンズ群と該第４レンズ群とが移動するズームレンズであって、該第３レンズ群は、物体側から順に、正の屈折力の第３ａレンズ群、開口絞り、１枚以上の負レンズと１枚以上の正レンズを有する第３ｂレンズ群より成り、
該第３ｂレンズ群の最も像側のレンズ面は像側に凸形状であり、その曲率半径をＲ３ｂＬ、該第３レンズ群の焦点距離をｆ３とするとき、
０．９９ ＜｜Ｒ３ｂＬ／ｆ３｜＜ １２．５
なる条件式を満足することを特徴とするズームレンズ。
【請求項４】  前記条件式が、更に、
１．２ ＜｜Ｒ３ｂＬ／ｆ３｜＜ ９．２
なる条件式を満足することを特徴とする請求項３に記載のズームレンズ。
【請求項５】  望遠端における全系の焦点距離をｆｔ、前記第２レンズ群の焦点距離をｆ２とするとき、
０．０５＜｜ｆ２／ｆｔ｜＜０．０８１
なる条件式を満足することを特徴とする請求項２乃至４いずれかに記載のズームレンズ。
【請求項６】  広角端と望遠端における全系の焦点距離を各々ｆｗ、ｆｔ、前記第ｉレンズ群の焦点距離をｆｉ、望遠端における無限遠物体に合焦しているときの該第４レンズ群の結像倍率をβ４Ｔとするとき、
０．３４ ＜ ｆ１／ｆｔ＜ ０．５７
０．２２ ＜｜ｆ２／ｆＡ｜＜ ０．３４
０．７４ ＜ ｆ３／ｆ４ ＜ １．２
０．４８ ＜｜β４Ｔ｜＜ ０．７１
なる条件式のうちの１つ以上を満足することを特徴とする請求項１又は３に記載のズームレンズ。
【請求項７】  前記第３ｂレンズ群の最も像面側のレンズ面は像側に凸面を向けており、その曲率半径をＲ３ｂＬ、前記第３レンズ群の焦点距離をｆ３とするとき、
０．９９ ＜｜Ｒ３ｂＬ／ｆ３｜＜ １２．５
なる条件式を満足することを特徴とする請求項１又は２に記載のズームレンズ。
【請求項８】  前記第２レンズ群は３枚以上の負レンズと１枚以上の正レンズより成ることを特徴とする請求項１乃至７いずれかに記載のズームレンズ。
【請求項９】  前記第２レンズ群は非球面を有することを特徴とする請求項１から８のいずれか１項に記載のズームレンズ。
【請求項１０】  前記第３ａレンズ群は非球面を含む正レンズを有し、前記第３ｂレンズ群は像側の面が凹形状である負レンズと両面が凸形状である正レンズを有することを特徴とする請求項１から９のいずれか１項に記載のズームレンズ。
【請求項１１】  前記第４レンズ群を移動させてフォーカスを行うことを特徴とする請求項１から１０のいずれか１項に記載のズームレンズ。
【請求項１２】  前記第３レンズ群の全体または一部を光軸と垂直方向の成分を持つように移動させて、像を変位させることを特徴とする請求項１から１１のいずれか１項に記載のズームレンズ。
【請求項１３】  固体撮像素子上に像を形成することを特徴とする請求項１から１２のいずれか１項のズームレンズ。
【請求項１４】  請求項１から１３のいずれか１項のズームレンズと、該ズームレンズによって形成された像を受光する固体撮像素子を有していることを特徴とする撮像機器。
【手続補正２】
【補正対象書類名】明細書
【補正対象項目名】００１２
【補正方法】変更
【補正の内容】
【００１２】
（ア−１）望遠端における全系の焦点距離をｆｔ、該第２レンズ群の焦点距離をｆ２とするとき、
０．０５ ＜｜ｆ２／ｆｔ｜＜ ０．０８１・・・・（１）
なる条件式を満足すること、
（ア−２）広角端と望遠端における全系の焦点距離を各々ｆｗ、ｆｔ、該第ｉレンズ群の焦点距離をｆｉ、望遠端において無限遠物体に合焦しているときの該第４レンズ群の結像倍率をβ４Ｔ、
【手続補正３】
【補正対象書類名】明細書
【補正対象項目名】００１４
【補正方法】変更
【補正の内容】
【００１４】
とするとき、
０．３４ ＜ ｆ１／ｆｔ ＜ ０．５７・・・・・（２）
０．２２ ＜｜ｆ２／ｆＡ｜＜ ０．３４・・・・（３）
０．７４ ＜ ｆ３／ｆ４ ＜ １．２  ・・・・・（４）
０．４８ ＜｜β４Ｔ｜＜ ０．７１  ・・・・・（５）
なる条件のうちの１つ以上を満足すること、
（ア−３）該第３ｂレンズ群の最も像側のレンズ面は像側に凸形状であり、その曲率半径をＲ３ｂＬ、該第３レンズ群の焦点距離をｆ３とするとき、
０．９９ ＜｜Ｒ３ｂＬ／ｆ３｜＜ １２．５・・（６）
又は／及び
１．２＜｜Ｒ３ｂＬ／ｆ３｜＜９．２を満足すること、
を特徴としている。
【手続補正４】
【補正対象書類名】明細書
【補正対象項目名】００２７
【補正方法】変更
【補正の内容】
【００２７】
◎望遠端における全系の焦点距離をｆｔ、第２レンズ群Ｌ２の焦点距離をｆ２とするとき、
０．０５ ＜｜ｆ２／ｆｔ｜＜ ０．０８１  ・・・（１）
なる条件式を満足している。
【手続補正５】
【補正対象書類名】明細書
【補正対象項目名】００２８
【補正方法】変更
【補正の内容】
【００２８】
条件式（１）は、前述した構成のズームタイプでレンズ系全体の小型化を行う場合、第２レンズ群Ｌ２の焦点距離を短くする必要がある。しかし、単純に焦点距離を短くすると第２レンズ群Ｌ２に屈折力の負担が大きくかかり、光学性能を良好に保つ事が困難になってくる。また、望遠端の焦点距離が長くなると第２レンズ群Ｌ２の望遠端における収差の影響が大きくなる。そこで上述のごとく第２レンズ群Ｌ２の焦点距離（屈折力）の逆数を条件式（１）の範囲に設定することにより、軸外の光学性能、特にフレアーを良好に補正している。
【手続補正６】
【補正対象書類名】明細書
【補正対象項目名】００３０
【補正方法】変更
【補正の内容】
【００３０】
０．０６ ≦｜ｆ２／ｆｔ｜＜ ０．０７８  ・・・（１ａ）
◎広角端と望遠端における全系の焦点距離を各々ｆｗ、ｆｔ、第ｉレンズ群の焦点距離をｆｉ、望遠端において無限遠物体に合焦しているときの第４レンズ群Ｌ４の結像倍率をβ４Ｔ、
【手続補正７】
【補正対象書類名】明細書
【補正対象項目名】００３２
【補正方法】変更
【補正の内容】
【００３２】
とするとき、
０．３４ ＜ ｆ１／ｆｔ＜ ０．５７  ・・・（２）
０．２２ ＜｜ｆ２／ｆＡ｜＜ ０．３４  ・・・（３）
０．７４ ＜ ｆ３／ｆ４ ＜ １．２  ・・・（４）
０．４８ ＜｜β４Ｔ｜＜ ０．７１  ・・・（５）
なる条件式のうちの１つ以上を満足している。
【手続補正８】
【補正対象書類名】明細書
【補正対象項目名】００４１
【補正方法】変更
【補正の内容】
【００４１】
０．３６ ＜ ｆ１／ｆｔ＜ ０．５０  ・・・（２ａ）
０．２４ ＜｜ｆ２／ｆＡ｜＜ ０．３２  ・・・（３ａ）
０．８０＜ ｆ３／ｆ４ ＜ １．０  ・・・（４ａ）
０．４８５ ＜｜β４Ｔ｜＜ ０．６５  ・・・（５ａ）
◎第３ｂレンズ群Ｌ３ｂの最も像面側のレンズ面は像面側に凸面を向けており、その曲率半径をＲ３ｂＬ、第３レンズ群Ｌ３ｂの焦点距離をｆ３とするとき、
０．９９ ＜｜Ｒ３ｂＬ／ｆ３｜＜ １２．５  ・・・（６）
なる条件式を満足している。